(57)【要約】【課題】外部情報の読取り機能付き携帯端末を用い、会員制店舗で会員本人の確認、認証が確実なシステム等を提供する。【解決手段】顧客の携帯端末２１０から入力した顔写真を含む個人情報を、認証サーバ２４０を経由して会員ＩＤを付し情報サーバ２５０の会員情報ＤＢ２５５に登録する。会員制店舗を訪れた顧客は認証サーバ２４０から携帯端末２１０のメモリ２１５に予め蓄積された会員証アプリケーションプログラムを起動し、該店舗内にある二次元バーコード２０１を撮影し、解析結果得た宛先の認証サーバ２４０に会員証アプリケーションプログラムＩＤを送信して、対応する会員ＩＤの会員情報を、会員情報ＤＢ２５５から該店舗内に設置の情報確認端末２３０に転送して表示し、店員が顧客の会員確認をする。その後、情報確認端末２３０からの該顧客の携帯端末２１０の携帯メールアドレス宛のメール着信、携帯電話番号宛の電話着呼により、顧客は会員認証する。【選択図】図２
2006236066.tif 000002
【特許請求の範囲】
【請求項１】
会員名、連絡先情報、会員の顔写真画像を含んだ利用者の個人情報を、該個人情報をユニークに識別可能な会員ＩＤを割り振った会員情報として登録し、該会員情報に対応して、会員証アプリケーションプログラム、および前記会員ＩＤと一対一に対応する会員証アプリケーションプログラムＩＤを発行するサーバと、
前記サーバから、会員情報を登録した結果として、前記会員証アプリケーションプログラム、および前記会員証アプリケーションプログラムＩＤが提供される携帯端末と、
前記携帯端末で前記会員証アプリケーションプログラムが実行されたときに、当該携帯端末に提供された前記会員証アプリケーションプログラムＩＤに一対一に対応した前記会員ＩＤの会員情報が前記サーバから提供される情報確認端末と、を有し、
前記情報確認端末は、前記サーバから前記会員情報が提供されたときに、提供された前記会員情報に含まれている連絡先の携帯端末に対して前記会員情報の受信を通知する受信通知手段をさらに有することを特徴とする会員認証システム。
【請求項２】
前記携帯端末は、前記会員証アプリケーションプログラムが実行されたときに、当該携帯端末に提供された前記会員証アプリケーションプログラムＩＤを前記サーバへ送信することを特徴とする請求項１に記載の会員認証システム。
【請求項３】
前記情報確認端末は、前記サーバから提供された前記会員情報に基づいて、前記携帯端末を保持携帯している利用者が正しい会員であることを確認したときに、当該情報確認端末の前記受信通知手段により前記連絡先の携帯端末へ該利用者の認証情報を通知することを特徴とする請求項１または２に記載の会員認証システム。
【請求項４】
前記情報確認端末が有する前記受信通知手段は、電子メール送信手段および／または電話発呼手段を用いて、前記連絡先の携帯端末へ通知することを特徴とする請求項１乃至３のいずれかに記載の会員認証システム。
【請求項５】
前記サーバは、前記会員ＩＤ、前記会員証アプリケーションプログラム、前記会員証アプリケーションプログラムＩＤを登録する認証サーバと、利用者の個人情報を、該個人情報をユニークに識別可能な前記会員ＩＤとともに前記会員情報として登録する情報サーバと、で構成され、
前記携帯端末と前記認証サーバとは第１のネットワークで接続され、
前記認証サーバと前記情報サーバとは前記第1のネットワークからは接続できない第２のネットワークで接続されていることを特徴とする請求項１乃至４のいずれかに記載の会員認証システム。
【請求項６】
前記第１のネットワークは、公衆網により構成され、一方、前記第２のネットワークは、前記第１のネットワークからは接続できないローカル網により構成されていることを特徴とする請求項５に記載の会員認証システム。
【請求項７】
前記会員情報は、会員登録しようとする利用者が保持携帯する前記携帯端末から提供されることを特徴とする請求項１乃至６のいずれかに記載の会員認証システム。
【請求項８】
前記会員情報は、会員登録しようとする利用者が保持携帯する前記携帯端末とは異なる情報入力端末から提供されることを特徴とする請求項１乃至６のいずれかに記載の会員認証システム。
【請求項９】
前記携帯端末は、前記会員証アプリケーションプログラムが実行されたときに、当該携帯端末の外部に設置された情報記憶手段から前記サーバの接続先情報を読み取る情報読取手段を有し、該情報読取手段により読み取った接続先情報に指定されている前記サーバへ、前記会員証アプリケーションプログラムＩＤを送信することを特徴とする請求項１乃至８のいずれかに記載の会員認証システム。
【請求項１０】
前記情報記憶手段は、バーコード（二次元バーコードを含む）であり、前記情報読取手段を備えた前記携帯端末は、バーコード読み取り機能付き携帯端末であることを特徴とする請求項９に記載の会員認証システム。
【請求項１１】
前記情報記憶手段は、ＲＦＩＤタグであり、前記情報読取手段を備えた前記携帯端末は、ＲＦＩＤタグ読み取り機能付き携帯端末であることを特徴とする請求項９に記載の会員認証システム。
【請求項１２】
前記情報記憶手段は、赤外線出力装置であり、前記情報読取手段を備えた前記携帯端末は、赤外線受信機能付き携帯端末であることを特徴とする請求項９に記載の会員認証システム。
【請求項１３】
会員名、連絡先情報、会員の顔写真画像を含んだ利用者の個人情報を、該個人情報をユニークに識別可能な会員ＩＤを割り振って会員情報として登録し、該会員情報に対応して、会員証アプリケーションプログラム、および前記会員ＩＤと一対一に対応する会員証アプリケーションプログラムＩＤを、会員登録した利用者が保持携帯する携帯端末に発行することを特徴とする会員認証サーバ。
【請求項１４】
当該会員認証サーバは、前記会員ＩＤ、前記会員証アプリケーションプログラム、前記会員証アプリケーションプログラムＩＤを登録する認証サーバと、利用者の個人情報を、該個人情報をユニークに識別可能な前記会員ＩＤとともに前記会員情報として登録する情報サーバと、で構成され、
前記携帯端末と前記認証サーバとは第１のネットワークで接続され、
前記認証サーバと前記情報サーバとは前記第1のネットワークからは接続できない第２のネットワークで接続されていることを特徴とする請求項１３に記載の会員認証サーバ。
【請求項１５】
前記会員情報は、会員登録しようとする利用者が保持携帯する前記携帯端末、または、該携帯端末とは異なる情報入力端末から提供されることを特徴とする請求項１３または１４に記載の会員認証サーバ。
【請求項１６】
会員名、連絡先情報、会員の顔写真画像を含んだ利用者の個人情報を、会員情報として会員認証サーバに登録した結果として、当該会員情報に対応して、会員証アプリケーションプログラム、および該個人情報をユニークに識別可能な会員ＩＤと一対一に対応する会員証アプリケーションプログラムＩＤを前記会員認証サーバから提供されることを特徴とする携帯端末。
【請求項１７】
前記会員証アプリケーションプログラムが実行されたときに、当該携帯端末に提供された前記会員証アプリケーションプログラムＩＤを前記会員認証サーバへ送信することを特徴とする請求項１６に記載の携帯端末。
【請求項１８】
前記会員証アプリケーションプログラムが実行されたときに、当該携帯端末の外部に設置された情報記憶手段から前記会員認証サーバの接続先情報を読み取る情報読取手段を有し、該情報読取手段により読み取った接続先情報に指定されている前記会員認証サーバへ、前記会員証アプリケーションプログラムＩＤを送信することを特徴とする請求項１６または１７に記載の携帯端末。
【請求項１９】
前記情報記憶手段は、バーコード（二次元バーコードを含む）またはＲＦＩＤタグまたは赤外線出力装置のいずれかであり、前記情報読取手段は、バーコード読み取り手段またはＲＦＩＤタグ読み取り手段または赤外線受信手段のいずれかからなることを特徴とする請求項１８に記載の携帯端末。
【請求項２０】
会員名、連絡先情報、会員の顔写真画像を含んだ利用者の個人情報を、該個人情報をユニークに識別可能な会員ＩＤを割り振って会員情報として登録した会員認証サーバから、前記会員ＩＤの会員情報が提供されたときに、提供された前記会員情報に含まれている連絡先の携帯端末に対して前記会員情報の受信を通知する受信通知手段を有することを特徴とする情報確認端末。
【請求項２１】
前記会員認証サーバから提供された前記会員情報に基づいて、前記連絡先の携帯端末を保持携帯している利用者が正しい会員であることを確認したときに、前記受信通知手段により前記連絡先の携帯端末へ該利用者の認証情報を通知することを特徴とする請求項２０に記載の情報確認端末。
【請求項２２】
前記受信通知手段は、電子メール送信手段および／または電話発呼手段を用いて、前記連絡先の携帯端末へ通知することを特徴とする請求項２０または２１に記載の情報確認端末。
【請求項２３】
会員名、連絡先情報、会員の顔写真画像を含んだ利用者の個人情報を、該個人情報をユニークに識別可能な会員ＩＤが割り振られて会員情報として会員認証サーバに登録したときに、該会員認証サーバから、会員情報を登録した結果として、会員証アプリケーションプログラム、および前記会員ＩＤと一対一に対応する会員証アプリケーションプログラムＩＤが、会員登録した利用者が保持携帯する携帯端末に提供され、
該携帯端末で前記会員証アプリケーションプログラムが実行されたときに、該携帯端末に提供された前記会員証アプリケーションプログラムＩＤを前記会員認証サーバへ送信することにより、前記会員証アプリケーションプログラムＩＤに一対一に対応した前記会員ＩＤの会員情報が、前記会員認証サーバから、会員情報を確認するために設置されている情報確認端末に提供され、
前記情報確認端末は、前記会員認証サーバから前記会員情報が提供されたときに、提供された前記会員情報に含まれている連絡先の携帯端末に対して前記会員情報の受信を通知することを特徴とする会員認証方法。
【請求項２４】
前記情報確認端末は、前記会員認証サーバから提供された前記会員情報に基づいて、前記携帯端末を保持携帯している利用者が正しいことを確認したときに、前記連絡先の携帯端末へ該利用者の認証情報を通知することを特徴とする請求項２３に記載の会員認証方法。
【請求項２５】
前記情報確認端末は、前記会員認証サーバから前記会員情報が提供されたことを、前記連絡先の携帯端末へ通知する際に、電子メール送信および／または電話発呼を用いて、通知することを特徴とする請求項２３または２４に記載の会員認証方法。
【請求項２６】
前記会員認証サーバは、前記会員ＩＤ、前記会員証アプリケーションプログラム、前記会員証アプリケーションプログラムＩＤを登録する認証サーバと、会員の個人情報を、該個人情報をユニークに識別可能な前記会員ＩＤとともに前記会員情報として登録する情報サーバと、で構成され、
前記携帯端末と前記認証サーバとは第１のネットワークで接続され、
前記認証サーバと前記情報サーバとは前記第1のネットワークからは接続できない第２のネットワークで接続されていることを特徴とする請求項２３乃至２５のいずれかに記載の会員認証方法。
【請求項２７】
前記会員情報は、会員登録しようとする利用者が保持携帯する前記携帯端末、または、該携帯端末とは異なる情報入力端末から提供されることを特徴とする請求項２３乃至２６のいずれかに記載の会員認証方法。
【請求項２８】
前記携帯端末で前記会員証アプリケーションプログラムが実行されたときに、当該携帯端末の外部に設置された情報記憶手段から前記会員認証サーバの接続先情報を読み取り、読み取った接続先情報に指定されている前記会員認証サーバへ、前記会員証アプリケーションプログラムＩＤを送信することを特徴とする請求項２３乃至２７のいずれかに記載の会員認証方法。
【請求項２９】
前記情報記憶手段が、バーコード（二次元バーコードを含む）またはＲＦＩＤタグまたは赤外線出力装置のいずれかであり、前記携帯端末は、バーコード読み取り手段またはＲＦＩＤタグ読み取り手段または赤外線受信手段のいずれかを用いて、前記情報記憶手段から前記会員認証サーバの接続先情報を読み取ることを特徴とする請求項２８に記載の会員認証方法。
【請求項３０】
利用者の会員認証を行う請求項２３乃至２９のいずれかに記載の会員認証方法を、コンピュータにより実行可能なプログラムとして実現していることを特徴とする会員認証プログラム。
【請求項３１】
請求項３０に記載の会員認証プログラムを、コンピュータにより読取可能な記録媒体に記録していることを特徴とするプログラム記録媒体。
【発明の詳細な説明】
【技術分野】
【０００１】
本発明は、会員認証システム、会員認証サーバ、携帯端末、情報確認端末、会員認証方法、会員認証プログラム、およびプログラム記録媒体に関し、例えば、百貨店や小売店、ドラッグストア、レンタルビデオ店等の会員制店舗において、利用者（顧客）がその店舗の会員本人であることの確認、認証を確実に行うことを可能とする会員認証システム、会員認証サーバ、携帯端末、情報確認端末、会員認証方法、会員認証プログラム、およびプログラム記録媒体に関する。
【背景技術】
【０００２】
従来、百貨店や小売店、ドラッグストア、レンタルビデオ店等の会員制度を有する店舗においては、商品などの買い物やレンタルをする際の利用者（購買客）の会員認証が、会員証カードなどの提示によって行われていることが殆どであった。会員証カードには利用者の顔写真画像やサインなどが付与されているものもあり、この場合の会員認証は、店員が会員証カードに付与された会員の顔写真画像と利用者の顔とを目視して比較確認することや、所定の用紙やレシート等に利用者にサインをしてもらい、会員証カードに付与されたサインと比較することで行われていた。
【０００３】
しかし、これらの方法では、会員証カードを盗まれたり、紛失したりして、会員証カードに付与された顔写真画像やサインを偽造されたり、改竄などがなされ、他人が会員になりすまし、会員以外の人間に悪用されることが容易に行われてしまう問題があった。
【０００４】
そこで、会員証として会員情報をバーコード化し、画像データとして会員の携帯電話端末に保持させ、この画像データとサーバにあらかじめ保存されている会員データとを照合させ、会員認証を行う方法が提案されている（特許文献１参照）。しかしながら、該特許文献１の方法であっても、バーコードの複製や偽造、改竄などは容易にできてしまうという欠点が依然として残されており、前述の会員証カードの場合と同様に、簡単に偽造や改竄などがなされて、他人が会員になりすまし、会員以外の人間に容易に悪用されてしまうという問題があった。
【特許文献１】特開２００３−２５６６４０号公報
【発明の開示】
【発明が解決しようとする課題】
【０００５】
前述のように、従来の会員認証方法では、会員認証用の情報に関して簡単に偽造や改竄などが行われ、会員本人であることを確実に確認、認証することができないという問題があった。
【０００６】
そこで、本発明の目的は、例えば、百貨店や小売店、ドラッグストア、レンタルビデオ店等の会員制度を有する店舗において、他人による会員認証用の情報の偽造や改竄による会員の誤認証を防止し、利用者がその店舗の会員本人であることの確認、認証を確実に行うことを可能とする会員認証システム、会員認証サーバ、携帯端末、情報確認端末、会員認証方法、会員認証プログラム、およびプログラム記録媒体を提供することにある。
【０００７】
本発明の他の目的は、会員情報として登録された利用者（顧客）の個人情報の漏洩を防止するための、より確実なセキュリティ確保方法を実現する会員認証システム、会員認証サーバ、携帯端末、情報確認端末、会員認証方法、会員認証プログラム、およびプログラム記録媒体を提供することにある。
【課題を解決するための手段】
【０００８】
前述の課題を解決するため、本発明による会員認証システム、会員認証サーバ、携帯端末、情報確認端末、会員認証方法、会員認証プログラム、およびプログラム記録媒体は、次のような特徴的な構成を採用している。
【０００９】
（１）会員名、連絡先情報、会員の顔写真画像を含んだ利用者の個人情報を、該個人情報をユニークに識別可能な会員ＩＤを割り振った会員情報として登録し、該会員情報に対応して、会員証アプリケーションプログラム、および前記会員ＩＤと一対一に対応する会員証アプリケーションプログラムＩＤを発行するサーバと、
前記サーバから、会員情報を登録した結果として、前記会員証アプリケーションプログラム、および前記会員証アプリケーションプログラムＩＤが提供される携帯端末と、
前記携帯端末で前記会員証アプリケーションプログラムが実行されたときに、当該携帯端末に提供された前記会員証アプリケーションプログラムＩＤに一対一に対応した前記会員ＩＤの会員情報が前記サーバから提供される情報確認端末と、を有し、
前記情報確認端末は、前記サーバから前記会員情報が提供されたときに、提供された前記会員情報に含まれている連絡先の携帯端末に対して前記会員情報の受信を通知する受信通知手段をさらに有する会員認証システム。
（２）前記携帯端末は、前記会員証アプリケーションプログラムが実行されたときに、当該携帯端末に提供された前記会員証アプリケーションプログラムＩＤを前記サーバへ送信する上記（１）の会員認証システム。
（３）前記情報確認端末は、前記サーバから提供された前記会員情報に基づいて、前記携帯端末を保持携帯している利用者が正しい会員であることを確認したときに、当該情報確認端末の前記受信通知手段により前記連絡先の携帯端末へ該利用者の認証情報を通知する上記（１）または（２）の会員認証システム。
（４）前記情報確認端末が有する前記受信通知手段は、電子メール送信手段および／または電話発呼手段を用いて、前記連絡先の携帯端末へ通知する上記（１）乃至（３）のいずれかの会員認証システム。
（５）前記サーバは、前記会員ＩＤ、前記会員証アプリケーションプログラム、前記会員証アプリケーションプログラムＩＤを登録する認証サーバと、利用者の個人情報を、該個人情報をユニークに識別可能な前記会員ＩＤとともに前記会員情報として登録する情報サーバと、で構成され、
前記携帯端末と前記認証サーバとは第１のネットワークで接続され、
前記認証サーバと前記情報サーバとは前記第1のネットワークからは接続できない第２のネットワークで接続されている上記（１）乃至（４）のいずれかの会員認証システム。
（６）前記第１のネットワークは、公衆網により構成され、一方、前記第２のネットワークは、前記第１のネットワークからは接続できないローカル網により構成されている上記（５）の会員認証システム。
（７）前記会員情報は、会員登録しようとする利用者が保持携帯する前記携帯端末から提供される上記（１）乃至（６）のいずれかの会員認証システム。
（８）前記会員情報は、会員登録しようとする利用者が保持携帯する前記携帯端末とは異なる情報入力端末から提供される上記（１）乃至（６）のいずれかの会員認証システム。
（９）前記携帯端末は、前記会員証アプリケーションプログラムが実行されたときに、当該携帯端末の外部に設置された情報記憶手段から前記サーバの接続先情報を読み取る情報読取手段を有し、該情報読取手段により読み取った接続先情報に指定されている前記サーバへ、前記会員証アプリケーションプログラムＩＤを送信する上記（１）乃至（８）のいずれかの会員認証システム。
（１０）前記情報記憶手段は、バーコード（二次元バーコードを含む）であり、前記情報読取手段を備えた前記携帯端末は、バーコード読み取り機能付き携帯端末である上記（９）の会員認証システム。
（１１）前記情報記憶手段は、ＲＦＩＤタグであり、前記情報読取手段を備えた前記携帯端末は、ＲＦＩＤタグ読み取り機能付き携帯端末である上記（９）の会員認証システム。
（１２）前記情報記憶手段は、赤外線出力装置であり、前記情報読取手段を備えた前記携帯端末は、赤外線受信機能付き携帯端末である上記（９）の会員認証システム。
（１３）会員名、連絡先情報、会員の顔写真画像を含んだ利用者の個人情報を、該個人情報をユニークに識別可能な会員ＩＤを割り振って会員情報として登録し、該会員情報に対応して、会員証アプリケーションプログラム、および前記会員ＩＤと一対一に対応する会員証アプリケーションプログラムＩＤを、会員登録した利用者が保持携帯する携帯端末に発行する会員認証サーバ。
（１４）当該会員認証サーバは、前記会員ＩＤ、前記会員証アプリケーションプログラム、前記会員証アプリケーションプログラムＩＤを登録する認証サーバと、利用者の個人情報を、該個人情報をユニークに識別可能な前記会員ＩＤとともに前記会員情報として登録する情報サーバと、で構成され、
前記携帯端末と前記認証サーバとは第１のネットワークで接続され、
前記認証サーバと前記情報サーバとは前記第1のネットワークからは接続できない第２のネットワークで接続されている上記（１３）の会員認証サーバ。
（１５）前記会員情報は、会員登録しようとする利用者が保持携帯する前記携帯端末、または、該携帯端末とは異なる情報入力端末から提供される上記（１３）または（１４）の会員認証サーバ。
（１６）会員名、連絡先情報、会員の顔写真画像を含んだ利用者の個人情報を、会員情報として会員認証サーバに登録した結果として、当該会員情報に対応して、会員証アプリケーションプログラム、および該個人情報をユニークに識別可能な会員ＩＤと一対一に対応する会員証アプリケーションプログラムＩＤを前記会員認証サーバから提供される携帯端末。
（１７）前記会員証アプリケーションプログラムが実行されたときに、当該携帯端末に提供された前記会員証アプリケーションプログラムＩＤを前記会員認証サーバへ送信する上記（１６）の携帯端末。
（１８）前記会員証アプリケーションプログラムが実行されたときに、当該携帯端末の外部に設置された情報記憶手段から前記会員認証サーバの接続先情報を読み取る情報読取手段を有し、該情報読取手段により読み取った接続先情報に指定されている前記会員認証サーバへ、前記会員証アプリケーションプログラムＩＤを送信する上記（１６）または（１７）の携帯端末。
（１９）前記情報記憶手段は、バーコード（二次元バーコードを含む）またはＲＦＩＤタグまたは赤外線出力装置のいずれかであり、前記情報読取手段は、バーコード読み取り手段またはＲＦＩＤタグ読み取り手段または赤外線受信手段のいずれかからなる上記（１８）の携帯端末。
（２０）会員名、連絡先情報、会員の顔写真画像を含んだ利用者の個人情報を、該個人情報をユニークに識別可能な会員ＩＤを割り振って会員情報として登録した会員認証サーバから、前記会員ＩＤの会員情報が提供されたときに、提供された前記会員情報に含まれている連絡先の携帯端末に対して前記会員情報の受信を通知する受信通知手段を有する情報確認端末。
（２１）前記会員認証サーバから提供された前記会員情報に基づいて、前記連絡先の携帯端末を保持携帯している利用者が正しい会員であることを確認したときに、前記受信通知手段により前記連絡先の携帯端末へ該利用者の認証情報を通知する上記（２０）の情報確認端末。
（２２）前記受信通知手段は、電子メール送信手段および／または電話発呼手段を用いて、前記連絡先の携帯端末へ通知する上記（２０）または（２１）の情報確認端末。
（２３）会員名、連絡先情報、会員の顔写真画像を含んだ利用者の個人情報を、該個人情報をユニークに識別可能な会員ＩＤが割り振られて会員情報として会員認証サーバに登録したときに、該会員認証サーバから、会員情報を登録した結果として、会員証アプリケーションプログラム、および前記会員ＩＤと一対一に対応する会員証アプリケーションプログラムＩＤが、会員登録した利用者が保持携帯する携帯端末に提供され、
該携帯端末で前記会員証アプリケーションプログラムが実行されたときに、該携帯端末に提供された前記会員証アプリケーションプログラムＩＤを前記会員認証サーバへ送信することにより、前記会員証アプリケーションプログラムＩＤに一対一に対応した前記会員ＩＤの会員情報が、前記会員認証サーバから、会員情報を確認するために設置されている情報確認端末に提供され、
前記情報確認端末は、前記会員認証サーバから前記会員情報が提供されたときに、提供された前記会員情報に含まれている連絡先の携帯端末に対して前記会員情報の受信を通知する会員認証方法。
（２４）前記情報確認端末は、前記会員認証サーバから提供された前記会員情報に基づいて、前記携帯端末を保持携帯している利用者が正しいことを確認したときに、前記連絡先の携帯端末へ該利用者の認証情報を通知する上記（２３）の会員認証方法。
（２５）前記情報確認端末は、前記会員認証サーバから前記会員情報が提供されたことを、前記連絡先の携帯端末へ通知する際に、電子メール送信および／または電話発呼を用いて、通知する上記（２３）または（２４）の会員認証方法。
（２６）前記会員認証サーバは、前記会員ＩＤ、前記会員証アプリケーションプログラム、前記会員証アプリケーションプログラムＩＤを登録する認証サーバと、会員の個人情報を、該個人情報をユニークに識別可能な前記会員ＩＤとともに前記会員情報として登録する情報サーバと、で構成され、
前記携帯端末と前記認証サーバとは第１のネットワークで接続され、
前記認証サーバと前記情報サーバとは前記第1のネットワークからは接続できない第２のネットワークで接続されている上記（２３）乃至（２５）のいずれかの会員認証方法。
（２７）前記会員情報は、会員登録しようとする利用者が保持携帯する前記携帯端末、または、該携帯端末とは異なる情報入力端末から提供される上記（２３）乃至（２６）のいずれかの会員認証方法。
（２８）前記携帯端末で前記会員証アプリケーションプログラムが実行されたときに、当該携帯端末の外部に設置された情報記憶手段から前記会員認証サーバの接続先情報を読み取り、読み取った接続先情報に指定されている前記会員認証サーバへ、前記会員証アプリケーションプログラムＩＤを送信する上記（２３）乃至（２７）のいずれかの会員認証方法。
（２９）前記情報記憶手段が、バーコード（二次元バーコードを含む）またはＲＦＩＤタグまたは赤外線出力装置のいずれかであり、前記携帯端末は、バーコード読み取り手段またはＲＦＩＤタグ読み取り手段または赤外線受信手段のいずれかを用いて、前記情報記憶手段から前記会員認証サーバの接続先情報を読み取る上記（２８）の会員認証方法。
（３０）利用者の会員認証を行う請求項２３乃至２９のいずれかの会員認証方法を、コンピュータにより実行可能なプログラムとして実現している会員認証プログラム。
（３１）上記（３０）の会員認証プログラムを、コンピュータにより読取可能な記録媒体に記録しているプログラム記録媒体。
【発明の効果】
【００１０】
本発明の会員認証システム、会員認証サーバ、携帯端末、情報確認端末、会員認証方法、会員認証プログラム、およびプログラム記録媒体によれば、以下のような効果を得ることができる。
【００１１】
第１の効果は、会員制度を有する店舗において、利用者（顧客）がその店舗の会員本人であることの確認を確実に行えることである。
その理由は、利用者が、当該利用者が携帯端末として保持携帯する例えばカメラ付き携帯端末を使って、店舗内のレジなどに掲示されたバーコード（二次元バーコードを含む）を読み取り、該バーコードが示す情報に基づいて、当該携帯端末から会員認証サーバにアクセスして、該会員認証サーバにあらかじめ登録されている当該利用者の顔写真を含む会員情報を読み出して、当該店舗内のレジなどに設置されている情報確認端末に対して送信させることにより、当該店舗の店員が、送信されてきた利用者の会員情報を閲覧して、当該利用者の顧客確認を行うことを可能としているからである。
【００１２】
第２の効果は、会員制度を有する店舗において、利用者（顧客）がその店舗の会員本人であることの認証を確実に行えることである。
その理由は、店員が、当該店舗内のレジなどに設置されている情報確認端末に表示された利用者の会員情報を閲覧して、顧客確認をした後、表示された会員情報に含まれている連絡先の携帯端末に対して、当該情報確認端末から、例えば電子メールとして、正しい会員情報を受信した旨を通知したり、正しい会員情報を受信した際に当該利用者に関する認証情報例えば会員情報を通知したり、あるいは、連絡先の携帯端末に対して電話発呼して、正しく電話着呼することを確認したり、電話着呼後に音声で当該利用者の会員情報が正しく届いたことを通知したりすることにより、当該利用者が保持携帯する携帯端末例えばカメラ付き携帯端末に会員情報が正確に表示されたことを、あるいは、電話着呼による通知があったことを利用者自身が確認し、利用者の会員認証を確実に行うことができるからである。
【００１３】
第３の効果は、利用者の会員情報の漏洩をより確実に防止することができることである。
その理由は、会員認証サーバを、携帯端末や情報確認端末と接続している第１のネットワークに接続する認証サーバと、第１のネットワークとは接続できない第２のネットワークに接続し、認証サーバからアクセス可能な情報サーバとに分割して構成し、第１のネットワークからはアクセスできない情報サーバに、利用者の会員情報を格納することにより、第1のネットワークを例えば不特定多数のユーザが利用できる公衆網によって構成するような場合であっても、情報サーバに格納されている重要な利用者の会員情報の漏洩を、より確実に防止することができるからである。
【発明を実施するための最良の形態】
【００１４】
以下、本発明による会員認証システム、会員認証サーバ、携帯端末、情報確認端末、会員認証方法、会員認証プログラム、およびプログラム記録媒体の好適実施形態例について添付図を参照して説明する。なお、以下の説明においては、本発明による会員認証システムの一実施形態について説明することとし、該会員認証システムに関する説明から、該会員認証システムをそれぞれ構成する本発明による会員認証サーバ、携帯端末、情報確認端末に関する実施の形態、および、本発明による会員認証方法に関する実施の形態についても、容易に想到することが可能であり、さらには、該会員認証方法をコンピュータにより実行可能なプログラムにより実現する会員認証プログラム、該会員認証プログラムをコンピュータにより読み取り可能なプログラム記録媒体に記録することも容易に理解できるので、これらに関するさらなる説明は省略することとする。
【００１５】
図１は、本発明による会員認証システムの全体構成の一実施例を示す概念図である。
なお、図１に示す本実施の形態では、会員制度を有する店舗１２０を利用する利用者（顧客）が保持携帯している携帯端末が、外部情報を読み取り可能な撮影機能を備えたカメラ付き携帯端末１０１であり、店舗１２０内のレジなどに掲示された二次元バーコード１０４をカメラ付き携帯端末１０１で読み取る場合を例にして説明を行う。また、任意の情報の記憶手段を提供する二次元バーコード１０４には、少なくとも、当該店舗１２０の会員認証用の情報があらかじめ登録されている認証サーバ１０５の接続先情報例えばＵＲＬ情報が含まれている。
【００１６】
ここで、本発明による会員認証システムを構成する前記携帯端末は、前述のような二次元バーコードを読み取るカメラ付き携帯端末１０１のみに限るものではなく、例えば、認証サーバ１０５の接続先情報を少なくとも含む情報を記憶する情報記憶手段として、バーコード（二次元バーコードを含む）を用いる場合には、該バーコード（二次元バーコードを含む）を読み取るバーコード読取機能付き携帯端末であってもよいし、あるいは、無線信号によるＲＦＩＤ（Ｒａｄｉｏ  Ｆｒｅｑｕｅｎｃｙ  Ｉｄｅｎｔｉｆｉｃａｔｉｏｎ）タグを用いる場合には、該ＲＦＩＤタグを読み取るＲＦＩＤタグ読取機能付き携帯端末であってもよいし、あるいは、赤外線信号を出力する赤外線出力装置を用いる場合には、赤外線信号を受信する赤外線受信機能付き携帯端末であってもよいし、情報記憶手段に記憶されている認証サーバ１０５の接続先情報を少なくとも読み取り可能な機能を備える携帯端末であれば、如何なる形態の携帯端末で構成してもよい。
【００１７】
なお、斯かる携帯端末は、携帯電話端末やＰＨＳ端末であってもよいし、携帯情報端末（ＰＤＡ：Ｐｅｒｓｏｎａｌ  Ｄｉｇｉｔａｌ  Ａｓｓｉｓｔａｎｔｓ）であってもよいし、携帯用ノートパソコンであってもよいし、外部情報を読み取り可能な携帯用の情報処理端末であれば、如何なる形態の端末で構成してもよい。
【００１８】
図１において、会員制度を有する店舗１２０を利用する利用者は、当該店舗１２０の会員となるために、あらかじめ、当該利用者が保持携帯するカメラ付き携帯端末１０１から、または当該利用者が利用可能なパソコンなどの情報入力端末１０２から、ネットワークを介して、認証サーバ１０５に接続し、会員登録を行う。会員登録を行うと、ユニークな会員ＩＤが割り振られ、会員認証用の端末動作を実行する会員証アプリケーションプログラムと、割り振られた会員ＩＤに一対一に対応する会員証アプリケーションプログラムＩＤとが第１ネットワーク１１０を介して、当該利用者が保持携帯するカメラ付き携帯端末１０１にダウンロードされる。
【００１９】
次に、会員登録した利用者は、カメラ付き携帯端末１０１を保持携帯して訪れた店舗１２０において、当該カメラ付き携帯端末１０１にダウンロードされた会員証アプリケーションプログラムを起動して店舗１２０内のレジなどに掲示されている二次元バーコード１０４を、当該利用者のカメラ付き携帯端末１０１で撮影する。
【００２０】
当該利用者のカメラ付き携帯端末１０１は、該カメラ付き携帯端末１０１にダウンロードされていた会員証アプリケーションプログラムを実行することにより、撮影した二次元バーコード１０４に埋め込まれた情報を解析し、当該店舗１２０の会員認証用の情報があらかじめ登録されている認証サーバ１０５の接続先情報例えばＵＲＬ情報などの情報を抽出する。
【００２１】
当該利用者のカメラ付き携帯端末１０１は、抽出された認証サーバ１０５のＵＲＬ情報をもとに、当該カメラ付き携帯端末１０１から第１ネットワーク１１０を介して、認証サーバ１０５に接続し、当該カメラ付き携帯端末１０１に保存していた会員証アプリケーションプログラムＩＤを送信する。
【００２２】
認証サーバ１０５は、第１ネットワーク１１０を介して受信した会員証アプリケーションプログラムＩＤと、該認証サーバ１０５に登録している会員証アプリケーションプログラムＩＤとを照合して、顧客確認を行い、照合が得られた会員証アプリケーションプログラムＩＤに一対一に対応する会員ＩＤを抽出する。次に、情報サーバ１０６へ第２ネットワーク１１１を介して接続し、抽出した会員ＩＤを送信する。ここで、受信した会員証アプリケーションプログラムＩＤに照合する会員証アプリケーションプログラムＩＤが認証サーバ１０５に登録されていない場合は、受信した会員証アプリケーションプログラムＩＤに一対一に対応する会員ＩＤを抽出することができないので、認証サーバ１０５は、顧客確認が得られなかった旨を示すエラー情報を、送信元のカメラ付き携帯端末１０１に対して第１ネットワーク１１０を介して返送する。
【００２３】
受信した会員証アプリケーションプログラムＩＤに一対一に対応する会員ＩＤが認証サーバ１０５から送信されてきた場合、情報サーバ１０６は、第２ネットワーク１１１を介して受信した会員ＩＤをもとに、それに対応する会員情報を抽出し、第２ネットワーク１１１を介して認証サーバ１０５に送信する。ここに、会員情報としては、店舗１２０を利用する会員であることを示すための情報として、少なくとも、利用者の会員ＩＤ、会員名、会員属性（性別や年齢など）、および会員の顔写真画像などを含む情報であり、さらには、当該利用者が保持携帯する携帯端末（カメラ付き携帯端末１０１）の接続先情報（電子メールアドレスおよび／または電話番号）をも含んでいる。
【００２４】
認証サーバ１０５は、第２ネットワーク１１１を介して受信した会員情報を、第１ネットワーク１１０を介して、送信元のカメラ付き携帯端末１０１を保持携帯する利用者が現在利用している店舗１２０内のレジなどに設置された情報確認端末１０３に送信する。
【００２５】
当該店舗１２０の店員は、第１ネットワーク１１０を介して受信して情報確認端末１０３に表示された会員情報を閲覧することにより利用者の会員確認を行う。
【００２６】
利用者の会員確認が行われると、店員は、受信した会員情報の１つとして表示されている連絡先情報が示す携帯メールアドレス即ち電子メールアドレス宛に、受信していた会員情報を、第１ネットワーク１１０を介して送信する、および／または、店員は、受信した会員情報の１つとして表示されている連絡先情報が示す携帯電話番号宛に第１ネットワーク１１０を介して電話発呼する。ここで、受信した会員情報の１つとして表示されている連絡先情報とは、会員証アプリケーションプログラムＩＤの送信元であるカメラ付き携帯端末１０１の電子メールアドレスや電話番号である。
【００２７】
続いて、利用者が保持携帯しているカメラ付き携帯端末１０１に第１ネットワーク１１０を介して会員情報が正しく受信され、利用者のカメラ付き携帯端末１０１に表示されることにより正しい会員であるとの会員認証が行われる、および／または、利用者のカメラ付き携帯端末１０１に電話が正しく着呼することにより正しい会員であるとの会員認証が行われる。
【００２８】
なお、会員認証のために、電子メールで利用者のカメラ付き携帯端末１０１に送信する情報は、図１に示す本実施の形態においては、会員情報を受信したことをカメラ付き携帯端末１０１に通知する受信通知手段として、情報確認端末１０３で受信していた会員情報を利用者の認証情報として送信する例を示したが、本発明は、斯かる場合のみに限るものではなく、当該店舗１２０を利用している利用者の正しい会員情報を受信した旨を当該利用者が認証し得るものであれば、当該利用者が保持携帯するカメラ付き携帯端末１０１に対して、如何なる情報を通知するようにしてもかまわない。
【００２９】
また、会員認証のための受信通知手段として、利用者のカメラ付き携帯端末１０１に対して電話発呼して、カメラ付き携帯端末１０１に正しく電話着呼したことを確認して、利用者が会員認証を行う際に、さらに、利用者が電話応答して音声により店員との間で正しい会員情報を受信したことを確認し合うようにしてもよい。
【００３０】
また、図１に示す本実施の形態においては、利用者の会員認証に関する情報をあらかじめ登録する会員認証サーバは、会員ＩＤ、会員証アプリケーションプログラム、会員証アプリケーションプログラムＩＤを少なくとも登録する認証サーバ１０５と、会員ＩＤに対応する会員情報を会員ＩＤとともに登録する情報サーバ１０６と、で構成され、携帯端末１０１および情報確認端末１０３と認証サーバ１０５とは第１ネットワーク１１０例えば公衆網で接続され、認証サーバ１０５と情報サーバ１０６とは第1ネットワーク１１０からは接続できない第２ネットワーク１１１例えば専用ローカル網で接続されている例を示している。
【００３１】
これにより、例えば、第１ネットワーク１１０を不特定多数の利用者が利用する公衆網で構成するような場合であっても、利用者の重要な会員情報が不用意に漏洩してしまうような事態の発生を防止している。なお、第１ネットワーク１１０、第２ネットワーク１１１としては、例えば、ＰＳＴＮ網やインターネットなどの公衆網、ＰＢＸ網やイントラネットや構内ＬＡＮなどのローカル網、などが考えられる。
【００３２】
ただし、本発明は、このような２つのネットワークに分離して構成することを必須の構成要件としているものではなく、利用者の会員情報を確実に保護し得る手段を備えている会員認証サーバであれば、認証サーバ１０５と情報サーバ１０６とに分離して構成しなくてもよいし、あるいは、分離して構成したとしても、情報サーバ１０６も認証サーバ１０５と同一のネットワークに接続するようにしてもよい。
【００３３】
また、認証サーバ１０５からカメラ付き携帯端末１０１にダウンロードする会員証アプリケーションプログラムとしては、例えば、カメラ付き携帯端末１０１がｉモード携帯電話機であれば、「ｉアプリ」などが該当する。また、会員証アプリケーションプログラムＩＤは、会員証アプリケーションプログラムの識別用コードであり、会員証アプリケーションプログラムをダウンロードしたカメラ付き携帯端末１０１を識別可能とするもので、会員ＩＤと一対一に対応するユニークなコードである。
【００３４】
次に、本発明による会員認証システムを実現するコンピュータシステムの全体構成について図２を用いて説明する。図２は、図１の概念図に例示するような本発明による会員認証システムを実現するためのサーバおよび端末からなるコンピュータシステムの全体構成の一実施例を示すブロック図である。
【００３５】
図２において、二次元バーコード２０１は、会員制店舗内のレジなどに掲示されているものであり、図１に示す二次元バーコード１０４に該当している。また、カメラ付き携帯端末２１０は、利用者が保持携帯する図１に示すカメラ付き携帯端末１０１に該当するものであり、少なくとも、入力部２１１、表示部２１２、通信部２１３、制御部２１４、メモリ２１５、カメラ２１６を内蔵している。
【００３６】
また、情報入力端末２２０は、利用者が会員登録用の個人情報を入力するために利用することができる図１に示す情報入力端末１０２に該当するものであり、少なくとも、入力部２２１、表示部２２２、通信部２２３、制御部２２４、メモリ２２５を内蔵している。
【００３７】
また、情報確認端末２３０は、会員情報確認用として店舗内のレジなどに設定されている端末で、図１に示す情報確認端末１０３に該当するものであり、少なくとも、入力部２３１、表示部２３２、通信部２３３、制御部２３４を内蔵している。
【００３８】
また、認証サーバ２４０は、会員認証用の会員証アプリケーションプログラムや会員ＩＤに対応する会員証アプリケーションプログラムＩＤなどの情報を格納しているサーバで、図１に示す認証サーバ１０５に該当するものであり、少なくとも、通信部２４３、制御部２４４、アプリケーション情報ＤＢ２４５を内蔵している。通信部２４３は、第１ネットワーク２６０（図１に示す第１ネットワーク１１０に該当する）を介して、カメラ付き携帯端末２１０、情報入力端末２２０、情報確認端末２３０との間で情報を送受信するとともに、第２ネットワーク２７０（図１に示す第１ネットワーク１１１に該当する）を介して、情報サーバ２５０との間で情報を送受信する。
【００３９】
また、情報サーバ２５０は、会員認証用の会員情報などを格納しているサーバで、図１に示す情報サーバ１０６に該当するものであり、少なくとも、入力部２５１、表示部２５２、通信部２５３、制御部２５４、会員情報ＤＢ２５５を内蔵している。通信部２５３は、第１ネットワーク２６０と接続されることなく、第２ネットワーク２７０（図１に示す第１ネットワーク１１１に該当する）を介して、認証サーバ２４０との間でのみ情報を送受信する。
【００４０】
次に、図２を用いて各ブロックの動作の一例について説明する。
まず、利用者の個人情報を入力し、会員ＩＤ、会員証アプリケーションプログラムＩＤを生成して会員登録するまでの会員登録動作について説明する。
利用者は、当該利用者が保持携帯するカメラ付き携帯端末２１０の入力部２１１から当該利用者の個人情報（顔写真以外の個人情報）を逐次入力し、カメラ付き携帯端末２１０の表示部２１２で入力内容を確認しながら、カメラ付き携帯端末２１０の制御部２１４に引き渡す。入力された利用者の個人情報を受け付けたカメラ付き携帯端末２１０の制御部２１４は、会員登録命令をカメラ付き携帯端末２１０の通信部２１３に行う。
【００４１】
会員登録命令により、カメラ付き携帯端末２１０の制御部２１４に入力部２１１から引き渡された利用者の個人情報（顔写真以外の個人情報）と、あらかじめカメラ付き携帯端末２１０のメモリ２１５に保存されている当該利用者の顔写真の画像ファイルとは、カメラ付き携帯端末２１０の通信部２１３に引き渡され、第１ネットワーク２６０を経由して認証サーバ２４０の通信部２４３へただちに伝達される。
【００４２】
もしくは、カメラ付き携帯端末２１０とは異なる情報入力端末２２０を用いて利用者の個人情報を入力する場合には、利用者は、当該利用者が利用可能な情報入力端末２２０の入力部２２１から当該利用者の個人情報（顔写真以外の個人情報）を逐次入力し、情報入力端末２２０の表示部２２２で入力内容を確認しながら、情報入力端末２２０の制御部２２４に引き渡す。入力された利用者の個人情報を受け付けた情報入力端末２２０の制御部２２４は、会員登録命令を情報入力端末２２０の通信部２２３に行う。
【００４３】
会員登録命令により、情報入力端末２２０の制御部２２４に入力部２２１から引き渡された利用者の個人情報（顔写真以外の個人情報）と、あらかじめ情報入力端末２２０のメモリ２２５に保存されている当該利用者の顔写真の画像ファイルとは、情報入力端末２２０の通信部２２３に引き渡され、第１ネットワーク２６０を経由して認証サーバ２４０の通信部２４３へただちに伝達される。
【００４４】
なお、利用者の顔写真の画像ファイルが、カメラ付き携帯端末２１０のメモリ２１５、もしくは情報入力端末２２０のメモリ２２５にまだ保存されていない場合には、利用者の個人情報（顔写真以外の個人情報）の入力に合わせて、当該利用者の顔写真も撮影して入力するようにすればよい。
【００４５】
認証サーバ２４０の通信部２４３は、受信した利用者の個人情報と当該利用者の顔写真の画像ファイルとを、認証サーバ２４０の制御部２４４に引き渡し、認証サーバ２４０の制御部２４４は、取得した利用者の個人情報（顔写真を含む個人情報）に対応したユニークな会員ＩＤと、該会員ＩＤに一対一に対応する会員証アプリケーションプログラム用の識別子すなわち会員証アプリケーションプログラムＩＤとを生成する。生成された会員ＩＤと会員証アプリケーションプログラムＩＤ、および会員証アプリケーションプログラム名は、認証サーバ２４０のアプリケーション情報ＤＢ２４５に蓄積される。
【００４６】
図３は、本発明による会員認証システムに適用するアプリケーション情報ＤＢの登録内容の一例を示すテーブルであり、図２に示す認証サーバ２４０のアプリケーション情報ＤＢ２４５の登録内容の一例を示している。図３に示すように、アプリケーション情報ＤＢ２４５は、少なくとも、会員アプリケーションプログラムＩＤと、会員ＩＤと、会員証アプリケーションプログラム名とを含んで構成されている。会員証アプリケーションプログラムＩＤと会員ＩＤとは、利用者からの会員登録要求がなされた場合に、毎回、生成されて割り振られる。また、会員証アプリケーションプログラムＩＤと会員ＩＤとは一対一で対応しており、ユニークなものである。
【００４７】
図３に示すアプリケーション情報ＤＢ２４５の登録例の第１行目は、会員証アプリケーションプログラムＩＤ「IDa1」が、会員ＩＤ「IDu1」に一対一で対応しており、これらに対応する会員証アプリケーションプログラム名は「AAA」であることを示している。第２行目は、会員証アプリケーションプログラムＩＤ「IDa2」が、会員ＩＤ「IDu2」に一対一で対応しており、これらに対応する会員証アプリケーションプログラム名は「BBB」であることを示している。第３行目は、会員証アプリケーションプログラムＩＤ「IDa3」が、会員ＩＤ「IDu3」に一対一で対応しており、これらに対応する会員証アプリケーションプログラム名は「CCC」であることを示している。
【００４８】
図２に戻って、認証サーバ２４０のアプリケーション情報ＤＢ２４５に、会員ＩＤと会員証アプリケーションプログラムＩＤと会員証アプリケーションプログラム名とを登録した後、認証サーバ２４０の制御部２４４は、生成した会員ＩＤと取得していた利用者の個人情報（顔写真を含む個人情報）とを、認証サーバ２４０の通信部２４３に引き渡し、認証サーバ２４０の通信部２４３により、第２ネットワーク２７０を経由して情報サーバ２５０の通信部２５３へただちに伝達する。
【００４９】
情報サーバ２５０の通信部２５３は、受信した会員ＩＤと利用者の個人情報とを、情報サーバ２５０の制御部２５４に引き渡し、情報サーバ２５０の制御部２５４は、取得した会員ＩＤと利用者の個人情報とを、当該利用者の重要情報としてセキュリティを確保した形式で情報サーバ２５０の会員情報ＤＢ２５５に蓄積する。
【００５０】
図４は、本発明による会員認証システムに適用する会員情報ＤＢの登録内容の一例を示すテーブルであり、図２に示す情報サーバ２５０の会員情報ＤＢ２５５の登録内容の一例を示している。図４に示すように、会員情報ＤＢ２５５は、認証サーバ２４０から受信した会員ＩＤと利用者の個人情報とを対応付けて登録しているものであり、少なくとも、会員ＩＤと、会員名と、携帯メールアドレスと、携帯電話番号と、性別と、年齢と、画像ファイルとを含んで構成されている。すなわち、認証サーバ２４０で生成された会員ＩＤに対して、利用者が入力した会員名、携帯メールアドレス、携帯電話番号、性別、年齢、および画像ファイルが従属して対応している。このうち、携帯メールアドレスおよび携帯電話番号は、当該利用者が保持携帯しているカメラ付き携帯端末２１０のアドレス情報すなわち連絡先情報として用いられ、また、画像ファイルは、当該利用者自身の顔写真である。
【００５１】
図４に示す会員情報ＤＢ２５５の登録例の第１行目は、会員ＩＤ「IDu1」に対応する会員名が「田中○○」、携帯メールアドレスが「tanaka@abc.ne.jp」、携帯電話番号が「09012345678」、性別が「女」、年齢が「３２」、画像ファイル名が「u001.gif」であることを示している。第２行目は、会員ＩＤ「IDu2」に対応する会員名が「吉田△△」、携帯メールアドレスが「yoshida@def.ne.jp」、携帯電話番号が「09012345679」、性別が「男」、年齢が「２８」、画像ファイル名が「u002.gif」であることを示している。第３行目は、会員ＩＤ「IDu3」に対応する会員名が「荒木□□」、携帯メールアドレスは「araki@ghi.ne.jp」、携帯電話番号が「09012345670」、性別が「女」、年齢が「２４」、画像ファイル名が「u003.gif」であることを示している。
【００５２】
なお、情報サーバ２５０の会員情報ＤＢ２５５に登録された会員情報は、カメラ付き携帯端末２１０の入力部２１１や情報入力端末２２０の入力部２２１からの指示や、情報サーバ２５０の入力部２５１からの操作により、適切な形式でセキュリティ保護措置を施したり、登録内容を変更したりすることもできる。
【００５３】
図２に戻って、情報サーバ２５０の通信部２５３に会員ＩＤと当該利用者の個人情報とを送信する動作と前後して、認証サーバ２４０の制御部２４４は、認証サーバ２４０のアプリケーション情報ＤＢ２４５に格納されている会員証アプリケーションプログラムと認証サーバ２４０の制御部２４４で生成されてアプリケーション情報ＤＢ２４５に蓄積された会員証アプリケーションプログラムＩＤとを、認証サーバ２４０の制御部２４４から認証サーバ２４０の通信部２４３に引き渡し、第１ネットワーク２６０を経由して、利用者の個人情報を入力した当該利用者が保持携帯するカメラ付き携帯端末２１０の通信部２１３へただちに伝達する。
【００５４】
カメラ付き携帯端末２１０の通信部２１３で受信した会員証アプリケーションプログラムと会員証アプリケーションプログラムＩＤとは、カメラ付き携帯端末２１０の制御部２１４に引き渡され、カメラ付き携帯端末２１０の制御部２１４は、取得した会員証アプリケーションプログラムと会員証アプリケーションプログラムＩＤとをカメラ付き携帯端末２１０のメモリ２１５に格納する。
【００５５】
以上の動作により、利用者の会員登録が完了する。
次に、会員登録した利用者が、該会員制度を有する店舗を利用する際の会員認証動作について説明する。
利用者は、店舗を利用する際に、まず、当該利用者が保持携帯しているカメラ付き携帯端末２１０のメモリ２１５に格納された会員証アプリケーションプログラムを立ち上げて、バーコード読み取りカメラ機能を起動する。次いで、利用者は、カメラ付き携帯端末２１０の表示部２１２でカメラ付き携帯端末２１０のカメラ２１６が写している表示内容を確認しながら、店舗内に掲示されている二次元バーコード２０１をカメラ２１６で撮影する。
【００５６】
カメラ付き携帯端末２１０のカメラ２１６で撮影された二次元バーコード２０１は、カメラ付き携帯端末２１０の制御部２１４に引き渡される。カメラ付き携帯端末２１０の制御部２１４では、メモリ２１５に格納された会員証アプリケーションプログラムを実行することにより、取得した二次元バーコード２０１を解析して、該二次元バーコード２０１に含まれている情報を抽出し、カメラ付き携帯端末２１０の表示部２１２に表示する。抽出されたこの情報には、前述のように、少なくとも、当該店舗の利用者の会員ＩＤを登録している認証サーバ２４０のアドレス情報（ＵＲＬ情報など）が含まれている。
【００５７】
カメラ付き携帯端末２１０の表示部２１２に表示された情報を確認した利用者の確認操作により、カメラ付き携帯端末２１０の制御部２１４で抽出された情報をもとに、カメラ付き携帯端末２１０のメモリ２１５に格納されている会員証アプリケーションプログラムＩＤが読み出されて、カメラ付き携帯端末２１０の通信部２１３に引き渡される。カメラ付き携帯端末２１０の通信部２１３が取得した会員証アプリケーションプログラムＩＤは、第１ネットワーク２６０を経由して、二次元バーコード２０１から抽出されたアドレス情報（ＵＲＬ情報など）が示す認証サーバ２４０の通信部２４３へただちに伝達される。
【００５８】
認証サーバ２４０の通信部２４３は、受信した会員証アプリケーションプログラムＩＤを、認証サーバ２４０の制御部２４４に引き渡し、認証サーバ２４０の制御部２４４は、取得した会員証アプリケーションプログラムＩＤとアプリケーション情報ＤＢ２４５に蓄積されている会員証アプリケーションプログラムＩＤとを照合し、取得した該会員証アプリケーションプログラムＩＤに一致する会員証アプリケーションプログラムＩＤをアプリケーション情報ＤＢ２４５から抽出して、該会員証アプリケーションプログラムＩＤに対応した会員ＩＤを検出することにより顧客確認をする。アプリケーション情報ＤＢ２４５に、取得した該会員証アプリケーションプログラムＩＤに一致する会員証アプリケーションプログラムＩＤが存在していなく、対応した会員ＩＤを検出することができなかった場合は、会員登録がまだされていなく、顧客確認に失敗したものとして、送信元のカメラ付き携帯端末２１０に対してエラーを返送する。
【００５９】
次に、顧客確認がなされた場合には、該利用者の登録済みの会員情報を取得するために、検出された会員ＩＤが、認証サーバ２４０の制御部２４４から認証サーバ２４０の通信部２４３に引き渡され、第２ネットワーク２７０を経由して、情報サーバ２５０の通信部２５３へただちに伝達される。
【００６０】
情報サーバ２５０の通信部２５３は、受信した会員ＩＤを、情報サーバ２５０の制御部２５４に引き渡し、情報サーバ２５０の制御部２５４は、取得した会員ＩＤをもとに、情報サーバ２５０の会員情報ＤＢ２５５から当該会員ＩＤに該当する会員情報を抽出する。
【００６１】
抽出された会員情報は、情報サーバ２５０の制御部２５４から情報サーバ２５０の通信部２５３に引き渡され、第２ネットワーク２７０を経由して、認証サーバ２４０の通信部２４３にただちに伝達される。
【００６２】
認証サーバ２４０の通信部２４３は、受信した会員情報を認証サーバ２４０の制御部２４４に引き渡し、認証サーバ２４０の制御部２４４は、取得した会員情報を解析し、該会員情報の転送先を判別するとともに、該会員情報を認証サーバ２４０の通信部２４３に引き渡す。認証サーバ２４０の通信部２４３は、取得した会員情報を、第１ネットワーク２６０を経由して、判別結果として得られた転送先の情報確認端末２３０の通信部２３３へ、すなわち会員証アプリケーションプログラムＩＤの送信元のカメラ付き携帯端末２１０を保持携帯している利用者が現在利用中の店舗内のレジなどに設置された情報確認端末２３０の通信部２３３へただちに伝達する。
【００６３】
当該店舗内に設置されている情報確認端末２３０の通信部２３３は、受信した会員情報を、情報確認端末２３０の制御部２３４に引き渡し、情報確認端末２３０の制御部２３４は、取得した会員情報を情報確認端末２３０の表示部２３２に表示する。当該店舗の店員は、情報確認端末２３０の表示部２３２に表示された会員情報を閲覧し、当該店舗の二次元バーコード２０１を撮影したカメラ付き携帯端末２１０の利用者に関する会員確認を行う。
【００６４】
店員による会員確認が完了すると、続けて、店員は、情報確認端末２３０の表示部２３２に表示された会員情報に含まれている連絡先の携帯メールアドレス宛に確認された会員情報を送信する指示を、情報確認端末２３０の入力部２３１に入力する、および／または、店員は、情報確認端末２３０の表示部２３２に表示された会員情報に含まれている連絡先の携帯電話番号宛に会員情報が確認された旨を通知する指示を、情報確認端末２３０の入力部２３１に入力する。ここに、会員情報に含まれている連絡先の携帯メールアドレス、携帯電話番号とは、当該店舗を利用しようとして、二次元バーコード２０１を撮影したカメラ付き携帯端末２１０の通信部２１３に割り当てられたアドレス情報である。
【００６５】
情報確認端末２３０の入力部２３１は、入力された携帯メールアドレス宛に確認された会員情報を送信する指示を、および／または、携帯電話番号宛に会員情報が確認された旨を通知する指示を、情報確認端末２３０の制御部２３４に引き渡し、情報確認端末２３０の制御部２３４は、宛先となる携帯メールアドレス宛および／または携帯電話番号とともに、会員確認した会員情報を送信する指示を、および／または、会員情報が確認された旨を通知する指示を、情報確認端末２３０の通信部２３３に引き渡す。
【００６６】
情報確認端末２３０の通信部２３３は第１ネットワーク２６０を経由して、当該店舗を利用しようとしている利用者のカメラ付き携帯端末２１０の通信部２１３の携帯メールアドレス宛へ取得した会員情報をただちに伝達する、および／または、第１ネットワーク２６０を経由して、当該店舗を利用しようとしている利用者のカメラ付き携帯端末２１０の通信部２１３の携帯電話番号宛へただちに電話発呼する。
【００６７】
カメラ付き携帯端末２１０の通信部２１３が、情報確認端末２３０の通信部２３３から会員情報を電子メールとして受信した場合、カメラ付き携帯端末２１０の通信部２１３は、受信した会員情報を、カメラ付き携帯端末２１０の制御部２１４に引き渡し、カメラ付き携帯端末２１０の制御部２１４は、取得した会員情報をカメラ付き携帯端末２１０の表示部２１２に表示する。利用者は、当該利用者のカメラ付き携帯端末２１０の表示部２１２に表示された当該利用者に関する会員情報を閲覧し、正しく会員情報が表示されたことを確認することにより会員認証を行う。
【００６８】
なお、情報確認端末２３０の通信部２３３から当該利用者のカメラ付き携帯端末２１０の通信部２１３に、当該利用者に関する会員情報を認証情報として送信して、カメラ付き携帯端末２１０の表示部２１２に正しく表示することにより会員認証を行う代わりに、情報確認端末２３０の通信部２３３から当該利用者のカメラ付き携帯端末２１０の通信部２１３に対して、正しい会員情報を受信した旨を示す受信通知情報を電子メールとして送信するようにし、該電子メールを受信通知情報として当該利用者のカメラ付き携帯端末２１０の表示部２１２に表示するようにしてもよい。
【００６９】
一方、カメラ付き携帯端末２１０の通信部２１３が、情報確認端末２３０の通信部２３３からの電話着呼を検出した場合、カメラ付き携帯端末２１０の通信部２１３は、情報確認端末２３０からの電話着呼があった旨を、カメラ付き携帯端末２１０の制御部２１４に引き渡し、カメラ付き携帯端末２１０の制御部２１４は、カメラ付き携帯端末２１０の表示部２１２にその旨を表示したり、図示していないスピーカを介して電話着呼音を出力する。その結果、利用者は、当該利用者のカメラ付き携帯端末２１０に情報確認端末２３０から正しく電話着呼したことを確認することにより会員認証を行う。なお、さらに、電話着呼の後、利用者が電話応答して情報確認端末２３０とカメラ付き携帯端末２１０との間で、正しく会員認証がなされた旨を音声により通知し合うようにしてもよい。
【００７０】
以上の動作により、会員登録した利用者が、会員制度を有する店舗を利用する際の会員確認および会員認証を確実に行うことができる。
【００７１】
次に、図５のフローチャートを参照して本発明による会員登録の動作についてさらに詳細に説明する。ここに、図５は、本発明による会員認証システムにおける会員登録動作の一例を説明するための動作フローチャートであり、以下では、図２に示す会員認証システムのブロック図を例にとって説明する。ここで、利用者が会員登録を行うと、当該利用者が保持携帯するカメラ付き携帯端末２１０には、当該利用者にユニークに割り振られた会員証アプリケーションプログラムＩＤとともに、会員認証用に用いられる会員証アプリケーションプログラムがダウンロードされる。
【００７２】
利用者は、会員登録を行うために、当該利用者が保持携帯するカメラ付き携帯端末２１０の通信部２１３から第１ネットワーク２６０を経由して認証サーバ２４０のアプリケーション情報ＤＢ２４５に接続して、利用者のカメラ付き携帯端末２１０の表示部２１２に会員登録画面を表示させる。もしくは、利用者は、会員登録を行うために、当該利用者が利用可能な情報入力端末２２０の通信部２２３から第１ネットワーク２６０を経由して認証サーバ２４０のアプリケーション情報ＤＢ２４５に接続して、利用者が利用する情報入力端末２２０の表示部２２２に会員登録画面を表示させる（ステップＳ１０１）。
【００７３】
図６は、本発明による会員認証システムにおける会員登録画面３１０の一例を示す画面構成図である。図６に示すように、会員登録画面３１０は、少なくとも、利用者の名前３１１、当該利用者が保持携帯するカメラ付き携帯端末２１０の携帯メールアドレス３１２および携帯電話番号３１３、性別３１４、年齢３１５、当該利用者の顔写真の画像ファイル名３１６、当該顔写真の画像ファイルの参照先を求める参照ボタン３１７からなる各個人情報の入力欄と、入力した利用者の個人情報を認証サーバ２４０に対して第１ネットワーク２６０を経由して送信する指示を与える送信ボタン３１８とから構成されている。
【００７４】
利用者のカメラ付き携帯端末２１０の表示部２１２に会員情報登録画面３１０が表示されると、利用者は、当該利用者のカメラ付き携帯端末２１０の入力部２１１から必要事項を各入力欄３１１乃至３１６に入力する。ここで、画像ファイル名３１６の入力欄に当該利用者の顔写真の画像ファイル名を入力する際に、カメラ付き携帯端末２１０のメモリ２１５に既に保存されている利用者の顔写真の画像ファイルを参照入力する場合には、参照ボタン３１７を押下して参照入力する（ステップＳ１０２）。
【００７５】
もしくは、利用者の情報入力端末２２０を利用して会員登録を行う場合は、利用者が利用する情報入力端末２２０の表示部２２２に会員情報登録画面３１０を表示して、利用者は、当該利用者が利用する情報入力端末２２０の入力部２２１から必要事項を各入力欄３１１乃至３１６に入力する。ここで、画像ファイル名３１６の入力欄に当該利用者の顔写真の画像ファイル名を入力する際に、情報入力端末２２０のメモリ２２５に既に保存されている利用者の顔写真の画像ファイルを参照入力する場合には、参照ボタン３１７を押下して参照入力する（ステップＳ１０２）。
【００７６】
入力欄に必要事項を入力したことを確認した後、利用者は、会員情報登録画面３１０の送信ボタン３１８を操作する。これにより、入力された利用者の名前、携帯メールアドレス、携帯電話番号、性別、年齢、および画像ファイルを含む入力情報は、利用者のカメラ付き携帯端末２１０の通信部２１３から第１ネットワーク２６０を経由して、認証サーバ２４０の通信部２４３へ送信される（ステップＳ１０３）。
【００７７】
もしくは、利用者の情報入力端末２２０を利用して会員登録動作を行っている場合は、利用者が会員情報登録画面３１０の送信ボタン３１８を操作すると、入力された利用者の名前、携帯メールアドレス、携帯電話番号、性別、年齢、および画像ファイルを含む入力情報は、利用者の情報入力端末２２０の通信部２２３から第１ネットワーク２６０を経由して、認証サーバ２４０の通信部２４３へ送信される（ステップＳ１０３）。
【００７８】
認証サーバ２４０の通信部２４３へ送信された利用者の入力情報（個人情報）は、認証サーバ２４０の制御部２４４へ転送されて受信される（ステップＳ１０４）。
【００７９】
認証サーバ２４０の制御部２４４では、受信した入力情報をもとにしてユニークな会員証アプリケーションプログラムＩＤとそれに対応した会員ＩＤとを生成する（ステップＳ１０５）。
【００８０】
生成された会員証アプリケーションプログラムＩＤと会員ＩＤとは、会員証アプリケーションプログラム名とともに認証サーバ２４０のアプリケーション情報ＤＢ２４５に登録される（ステップＳ１０６）。
【００８１】
なお、認証サーバ２４０のアプリケーション情報ＤＢ２４５に登録される登録内容は、前述した図３に一例を示したように、会員証アプリケーションプログラムＩＤと会員ＩＤとは一対一で対応しており、ユニークなものである。また、会員証アプリケーションプログラムＩＤと会員ＩＤとは、利用者からの会員登録要求がなされた都度、毎回生成されて、認証サーバ２４０のアプリケーション情報ＤＢ２４５に登録される。
【００８２】
利用者の入力情報（個人情報）とそれに対応した会員ＩＤとは、認証サーバ２４０の通信部２４３から第２ネットワーク２７０を経由して、情報サーバ２５０の通信部２５３へ送信される（ステップＳ１０７）。
【００８３】
情報サーバ２５０の通信部２５３へ送信された利用者の入力情報（個人情報）と会員ＩＤとは、情報サーバ２５０の制御部２５４へ転送されて受信される（ステップＳ１０８）。
【００８４】
情報サーバ２５０の制御部２５４では、受信した利用者の入力情報（個人情報）と会員ＩＤとを対応付けて、情報サーバ２５０の会員情報ＤＢ２５５に登録する（ステップＳ１０９）。
【００８５】
なお、情報サーバ２５０の会員情報ＤＢ２５５に登録される登録内容は、前述した図４に一例を示したように、認証サーバ２４０にてユニークに生成された会員ＩＤに対して、利用者が入力した会員名、携帯メールアドレス、携帯電話番号、性別、年齢、および画像ファイルなどを含む入力情報（個人情報）が従属して対応している。
【００８６】
認証サーバ２４０のアプリケーション情報ＤＢ２４５への会員登録が完了すると、認証サーバ２４０の制御部２４４は、生成した会員証アプリケーションプログラムＩＤとそれに対応する会員証アプリケーションプログラムとを、認証サーバ２４０の通信部２４３から第１ネットワーク２６０を経由して、利用者が保持携帯するカメラ付き携帯端末２１０の通信部２１３へ送信する（ステップＳ１１０）。
【００８７】
ここで、利用者が、会員登録用の個人情報の入力端末として、当該利用者のカメラ付き携帯端末２１０を利用したか、情報入力端末２２０を利用したかの如何によらず、会員証アプリケーションプログラムＩＤと会員証アプリケーションプログラムとは、当該利用者が保持携帯するカメラ付き携帯端末２１０に対して送信される。
【００８８】
利用者のカメラ付き携帯端末２１０の制御部２１４は、認証サーバ２４０からダウンロードされてきた会員証アプリケーションプログラムＩＤと会員証アプリケーションプログラムとを、カメラ付き携帯端末２１０の通信部２１３から転送させることにより受信する（ステップＳ１１１）。
【００８９】
利用者のカメラ付き携帯端末２１０の制御部２１４は、受信した会員証アプリケーションプログラムＩＤと会員証アプリケーションプログラムとを、当該利用者のカメラ付き携帯端末２１０のメモリ２１５にロードして、インストールする（ステップＳ１１２）。
【００９０】
図５のフローチャートに示す以上のような会員登録動作により、利用者は、認証サーバ２４０および情報サーバ２５０に対して会員登録を行い、ユニークに割り振られた会員証アプリケーションプログラムＩＤと、それに対応する会員認証用の会員証アプリケーションプログラムとを、当該利用者が保持携帯するカメラ付き携帯端末２１０のメモリ２１５にダウンロードしインストールした状態に設定することができる。
【００９１】
次に、図７のフローチャートを参照して本発明による会員認証の動作についてさらに詳細に説明する。ここに、図７は、本発明による会員認証システムにおける会員認証動作の一例を説明するための動作フローチャートであり、図７Ａが、会員認証動作の前半部の一例を示し、図７Ｂが、図７Ａに示す動作フローチャートに後続する会員認証動作の後半部の一例を示している。
【００９２】
なお、以下では、図２に示す会員認証システムのブロック図を例にとって説明する。ここで、利用者が会員制度を有する店舗を訪れて、当該利用者が保持携帯するカメラ付き携帯端末２１０により該店舗内に掲示されている二次元バーコード２０１を撮影して会員認証の操作を行うと、カメラ付き携帯端末２１０にダウンロードされている会員証アプリケーションプログラムにより、自動的に認証サーバ２４０にアクセスして会員の確認および認証の動作が実行される。
【００９３】
利用者は、会員制度を有する店舗を利用しようとした際に、まず、当該利用者が保持携帯しているカメラ付き携帯端末２１０にダウンロードしていた会員証アプリケーションプログラムを立ち上げて、バーコード読み取りカメラ機能を起動する（ステップＳ２０１）。
【００９４】
次に、当該店舗内のレジなどに掲示されている二次元バーコード２０１を利用者のカメラ付き携帯端末２１０のカメラ２１６で読み取る（ステップＳ２０２）。
【００９５】
利用者のカメラ付き携帯端末２１０の制御部２１４は、カメラ２１６で撮影した二次元バーコード２０１に埋め込まれた情報を解析して、二次元バーコードに含まれている認証サーバ２４０のアドレス情報例えばＵＲＬ情報を抽出する（ステップＳ２０３）。
【００９６】
利用者のカメラ付き携帯端末２１０の制御部２１４は、抽出した認証サーバ２４０のアドレス情報例えばＵＲＬ情報をもとに、利用者のカメラ付き携帯端末２１０の通信部２１３から第１ネットワーク２６０を経由して、認証サーバ２４０の通信部２４３に接続し、認証サーバ２４０の制御部２４４に対して、カメラ付き携帯端末２１０のメモリ２１５に保存していた会員証アプリケーションプログラムＩＤを送信する（ステップＳ２０４）。
【００９７】
認証サーバ２４０の制御部２４４は、第１ネットワーク２６０を経由して認証サーバ２４０の通信部２４３が取得した会員証アプリケーションプログラムＩＤを転送させて受信する（ステップＳ２０５）。
【００９８】
認証サーバ２４０の制御部２４４で受信された会員証アプリケーションプログラムＩＤは、認証サーバ２４０のアプリケーション情報ＤＢ２４５に登録されている会員証アプリケーションプログラムＩＤと照合され、該当する会員証アプリケーションプログラムＩＤが登録されているか否かを判断して、顧客確認がなされる（ステップＳ２０６）。
【００９９】
受信された会員証アプリケーションプログラムＩＤが認証サーバ２４０のアプリケーション情報ＤＢ２４５に登録されていなかった場合は（ステップＳ２０６のＮＯ）、当該利用者は会員登録がなされていないものと判定して、顧客確認に失敗した旨のエラーを送信元のカメラ付き携帯端末２１０に対して、第１ネットワーク２６０を経由して返送し、会員認証動作を終了する。
【０１００】
一方、受信された会員証アプリケーションプログラムＩＤが認証サーバ２４０のアプリケーション情報ＤＢ２４５に登録されていた場合は（ステップＳ２０６のＹＥＳ）、当該利用者は会員登録がなされていたものと判定して、会員証アプリケーションプログラムＩＤに対応付けされて、認証サーバ２４０のアプリケーション情報ＤＢ２４５に登録されている会員ＩＤが読み出されて、認証サーバ２４０の通信部２４３から第２ネットワーク２７０を経由して、情報サーバ２５０の通信部２５３に送信される（ステップＳ２０７）。
【０１０１】
情報サーバ２５０の通信部２５３に送信されてきた会員ＩＤは、情報サーバ２５０の制御部２５４に転送されて、制御部２５４で受信される（ステップＳ２０８）。
【０１０２】
情報サーバ２５０の制御部２５４は、受信した会員ＩＤをもとに、情報サーバ２５０の会員情報ＤＢ２５５をデータベース検索して、当該会員ＩＤに対応する会員情報を抽出する（ステップＳ２０９）。
【０１０３】
情報サーバ２５０の制御部２５４は、抽出した会員情報を、情報サーバ２５０の通信部２５３から第２ネットワーク２７０を経由して、認証サーバ２４０の通信部２４３へ送信する（ステップＳ２１０）。
【０１０４】
認証サーバ２４０の通信部２４３に送信されてきた会員情報は、認証サーバ２４０の制御部２４４に転送されて、制御部２４４で受信される（ステップＳ２１１）。
【０１０５】
認証サーバ２４０の制御部２４４で受信された会員情報は、転送先を判別されて、認証サーバ２４０の通信部２４３から第１ネットワーク２６０を経由して、会員証アプリケーションプログラムＩＤを送信してきたカメラ付き携帯端末２１０の利用者が訪れている店舗内に設定された情報確認端末２３０の通信部２３３に送信される（ステップＳ２１２）。
【０１０６】
なお、会員情報を送信する情報確認端末２３０のアドレス情報は、会員証アプリケーションプログラムに対応付けして認証サーバ２４０内に保存しておく形態としてもよいし、あるいは、利用者のカメラ付き携帯端末２１０にＧＰＳ機能を備えることにより、認証サーバ２４０で当該カメラ付き携帯端末２１０が現在利用している店舗を識別可能とする形態としてもよいし、あるいは、各店舗内に掲示されている二次元バーコード内に含ませておき、該二次元バーコードを解析して認証サーバ２４０のアドレス情報と情報確認端末２３０のアドレス情報とを合わせて取得したカメラ付き携帯端末２１０が、会員証アプリケーションプログラムＩＤを認証サーバ２４０に対して送信する際に、該二次元バーコードを解析して得られた情報確認端末２３０のアドレス情報を含んだ形式で送信するようにしてもよい。
【０１０７】
次に、図７Ｂに移って、情報確認端末２３０の通信部２３３に送信されてきた会員情報は、情報確認端末２３０の制御部２３４に転送されて、制御部２３４で受信される（ステップＳ２１３）。
【０１０８】
情報確認端末２３０の制御部２３４で受信された会員情報は、情報確認端末２３０の表示部２３２に表示される（ステップＳ２１４）。
【０１０９】
当該店舗の店員は、情報確認端末２３０の表示部２３２に表示された会員情報を閲覧し、利用しようとしている利用者の会員確認を行う（ステップＳ２１５）。
【０１１０】
図８は、本発明による会員認証システムにおける会員情報確認画面４１０の一例を示す画面構成図であり、図４の会員情報ＤＢ２５５に示した第１行目の利用者に関する個人情報を表示している例を示している。図８に示すように、会員情報確認画面４１０は、少なくとも、利用者の会員名４１１、当該利用者が保持携帯するカメラ付き携帯端末２１０の携帯メールアドレス４１２および携帯電話番号４１３、性別４１４、年齢４１５、当該利用者の顔写真を示す画像ファイル４１６、当該利用者の個人情報に割り振られた会員ＩＤ４１７の各表示欄と、表示された会員情報を確認した旨を示す確認ボタン４１８および表示された会員情報が利用者と一致しない旨を示す不確認ボタン４１９とから構成されている。
【０１１１】
店員が、図８に示すような会員情報確認画面４１０として情報確認端末２３０の表示部２３２に表示された各種個人情報を閲覧し、当該店舗を利用しようとしている利用者が、会員登録された利用者に一致していないと判定した場合は、会員未登録の利用者であるものとみなして、不確認ボタン４１９を押下し、利用者のカメラ付き携帯端末２１０に対してまだ会員登録されていない旨のエラー通知をするとともに、店員からその旨を利用者に対して通知する。
【０１１２】
一方、当該店舗を利用しようとしている利用者が、会員登録された利用者に一致していることを確認した場合は、会員情報確認画面４１０の確認ボタン４１８を押下する。確認ボタン４１８を押下すると、会員情報確認画面４１０に表示された携帯メールアドレス４１２宛に会員情報が送信される（ステップＳ２１６）。および／または、会員情報確認画面４１０に表示された携帯電話番号４１３宛に電話発呼がなされる（ステップＳ２２０）。
【０１１３】
すなわち、店員が、情報確認端末２３０の入力部２３１から情報確認端末２３０の表示部２３２に表示された会員情報の携帯メールアドレス４１２宛に、確認された会員情報を送信する指示を情報確認端末２３０の制御部２３４にあらかじめ行っていた場合は、確認ボタン４１８の押下により、情報確認端末２３０の表示部２３２に表示され会員確認された会員情報は、当該利用者の認証情報として、情報確認端末２３０の通信部２３３から第１ネットワーク２６０を経由して、利用者が保持携帯しているカメラ付き携帯端末２１０の通信部２１３に送信される（ステップＳ２１６）。
【０１１４】
および／または、店員が、情報確認端末２３０の入力部２３１から情報確認端末２３０の表示部２３２に表示された会員情報の携帯電話番号４１３宛に電話発呼する指示を情報確認端末２３０の制御部２３４にあらかじめ行っていた場合は、確認ボタン４１８の押下により、当該利用者の認証を得るための手段として、情報確認端末２３０の通信部２３３から第１ネットワーク２６０を経由して、利用者が保持携帯しているカメラ付き携帯端末２１０の通信部２１３に電話発呼する（ステップＳ２２０）。
【０１１５】
情報確認端末２３０の通信部２３３から携帯メールアドレス４１２宛に会員情報を送信した場合は、利用者のカメラ付き携帯端末２１０の通信部２１３に送信された会員情報は、利用者のカメラ付き携帯端末２１０の制御部２１４に転送されて、制御部２１４で受信される（ステップＳ２１７）。
【０１１６】
しかる後、利用者のカメラ付き携帯端末２１０の制御部２１４で受信された会員情報は、利用者のカメラ付き携帯端末２１０の表示部２１２に表示される（ステップ２１８）。
利用者は、当該利用者のカメラ付き携帯端末２１０の表示部２１２に表示された会員情報を閲覧し、会員認証を行う（ステップ２１９）。
【０１１７】
図９は、本発明による会員認証システムにおける携帯端末の表示部に表示される会員情報認証画面の一例を示す画面構成図であり、利用者が保持携帯しているカメラ付き携帯端末２１０の表示部２１２に表示した会員情報認証画面５１０の一例を示している。図９に示す会員情報認証画面５１０の表示内容例では、図８の情報確認端末２３０の会員情報確認画面４１０に示した会員情報のうち、会員名５１１、性別５１４、年齢５１５、当該利用者の顔写真を示す画像ファイル５１６などの個人情報と該個人情報に対応付けられた会員ＩＤ５１７とが表示されている例を示している。
【０１１８】
一方、情報確認端末２３０の通信部２３３から携帯電話番号４１３宛に電話発呼した場合は、利用者のカメラ付き携帯端末２１０への電話着呼が行われることにより、利用者は会員認証を行う（ステップ２２１）。
【０１１９】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【０１２０】
【図１】本発明による会員認証システムの全体構成の一実施例を示す概念図である。
【図２】本発明による会員認証システムを実現するためのサーバおよび端末からなるコンピュータシステムの全体構成の一実施例を示すブロック図である。
【図３】本発明による会員認証システムに適用するアプリケーション情報ＤＢの登録内容の一例を示すテーブルである。
【図４】本発明による会員認証システムに適用する会員情報ＤＢの登録内容の一例を示すテーブルである。
【図５】本発明による会員認証システムにおける会員登録動作の一例を説明するための動作フローチャートである。
【図６】本発明による会員認証システムにおける会員登録画面の一例を示す画面構成図である。
【図７Ａ】本発明による会員認証システムにおける会員認証動作の前半部の一例を説明するための動作フローチャートである。
【図７Ｂ】図７Ａに示す動作フローチャートに後続する会員認証動作の後半部の一例を説明するための動作フローチャートである。
【図８】本発明による会員認証システムにおける会員情報確認画面の一例を示す画面構成図である。
【図９】本発明による会員認証システムにおける携帯端末の表示部に表示される会員情報認証画面の一例を示す画面構成図である。
【符号の説明】
【０１２１】
１０１      携帯端末（カメラ付き携帯端末）
１０２、２２０      情報入力端末
１０３、２３０      情報確認端末
１０４      二次元バーコード
１０５、２４０      認証サーバ
１０６、２５０      情報サーバ
１１０、２６０      第１ネットワーク
１１１、２７０      第２ネットワーク
２０１      二次元バーコード
２１０      カメラ付き携帯端末
２１１、２２１、２３１、２５１      入力部
２１２、２２２、２３２、２５２      表示部
２１３、２２３、２３３、２４３、２５３      通信部
２１４、２２４、２３４、２４４、２５４      制御部
２１５、２２５      メモリ
２１６      カメラ
２４５      アプリケーション情報ＤＢ
２５５      会員情報ＤＢ
【図１】
2006236066.tif 000003
【図２】
2006236066.tif 000004
【図３】
2006236066.tif 000005
【図４】
2006236066.tif 000006
【図５】
2006236066.tif 000007
【図６】
2006236066.tif 000008
【図７Ａ】
2006236066.tif 000009
【図７Ｂ】
2006236066.tif 000010
【図８】
2006236066.tif 000011
【図９】
2006236066.tif 000012